(57)【要約】【課題】  裏表両面の表示が可能で、かつその表示面での入力が可能な表示装置を薄型、軽量化する。【解決手段】  互いに電気的に接続された第１センサ基板４ａと第２センサ基板４ｂとを、電界遮蔽層５を挟んで対向配置して入力パネル６とし、この入力パネル６を挟んで第１液晶パネル１と第２液晶パネル２とを対向配置し、前記第１液晶パネル１と第２液晶パネル２との間に照明装置３を配設してなる表示装置とする。【選択図】        図１
2006338497.tif 000002
【特許請求の範囲】
【請求項１】
座標検出装置を備えてなる表示装置であって、
互いに電気的に接続された第１センサ基板と第２センサ基板と該第１センサ基板及び第２センサ基板の間に配置された電界遮蔽層とを有して構成された入力パネルと、
該入力パネルの一方の面側に配設された第１表示パネルと、
該入力パネルの他方の面側に配設された第２表示パネルと、
前記第１表示パネルと前記第２表示パネルとの間に配設された照明装置とを、
備えてなることを特徴とする表示装置。
【請求項２】
前記照明装置が前記第１センサ基板と前記第２センサ基板との間に配設されていることを特徴とする請求項１記載の表示装置。
【請求項３】
前記電界遮蔽層が前記照明装置の表面に形成された透明導電膜からなることを特徴とする請求項１または請求項２記載の表示装置。
【請求項４】
前記電界遮蔽層が前記照明装置の表面に形成されたストライプ状の金属配線からなることを特徴とする請求項１または請求項２記載の表示装置。
【請求項５】
前記電界遮蔽層が金属メッシュからなることを特徴とする請求項１または請求項２記載の表示装置。
【請求項６】
前記第１センサ基板と前記第２センサ基板とが、透明あるいはハーフミラーであることを特徴とする請求項１ないし請求項５のいずれか一項に記載の表示装置。
【請求項７】
前記第１センサ基板と第２センサ基板と前記電界遮蔽層とに、それぞれ光透過用の開口部が設けられていることを特徴とする請求項１ないし請求項５のいずれか一項に記載の表示装置。
【請求項８】
前記第１センサ基板と前記第２センサ基板とがフレキシブル配線基板で接続されていることを特徴とする請求項１ないし請求項７のいずれか一項に記載の表示装置。
【請求項９】
前記第１センサ基板と前記第２センサ基板とが１枚のフレキシブル基板に形成されていることを特徴とする請求項１ないし請求項７のいずれか一項に記載の表示装置。
【請求項１０】
表示パネルが液晶パネルであることを特徴とする請求項１ないし請求項９のいずれか一項に記載の表示装置。
【請求項１１】
請求項１ないし請求項１０のいずれか一項に記載の表示装置を備えたことを特徴とする入力装置。
【請求項１２】
請求項１ないし請求項１０のいずれか一項に記載の表示装置、または請求項１１記載の入力装置を備えてなることを特徴とする電子機器。
【発明の詳細な説明】
【技術分野】
【０００１】
本発明は、表示装置、入力装置、及び電子機器に関するものである。
【背景技術】
【０００２】
画像表示を行う液晶パネルの前面側又は背面側に座標入力装置（タブレット）を配設し、ペンや手指によるポインティング動作を可能にした表示装置が知られている。例えば特許文献１には、液晶パネルの背面側に電磁誘導型のタブレットを配設したものが開示されている。
【特許文献１】特開平９−１６０７０７号公報
【発明の開示】
【発明が解決しようとする課題】
【０００３】
ところで近年、筐体の両面に表示部を備えた携帯電話機が登場しており、このような両面型の表示装置においても表示面をペン等で指示することでポインティング動作が行えると便利である。しかし、特許文献１に記載の表示装置を２個背中合わせに設けたのでは、表示部の厚さが著しく大きくなり、薄型、軽量であることを要する携帯電話機等においては極めて不都合である。
【０００４】
本発明は、上記従来技術の問題点に鑑み成されたものであって、２画面表示が可能であり、かつ表示面を介した座標入力が可能であって、薄型、軽量の表示装置を提供することを目的としている。また本発明は、両面で互いに独立な座標入力を可能とした薄型の入力装置を提供することを目的としている。
【課題を解決するための手段】
【０００５】
本発明の表示装置は、座標検出装置を備えてなる表示装置であって、互いに電気的に接続された第１センサ基板と第２センサ基板と該第１センサ基板及び第２センサ基板の間に配置された電界遮蔽層とを有して構成された入力パネルと、該入力パネルの一方の面側に配設された第１表示パネルと、該入力パネルの他方の面側に配設された第２表示パネルと、前記第１表示パネルと前記第２表示パネルとの間に配設された照明装置とを、備えてなることを特徴とする。
【０００６】
本発明の表示装置では、電界遮蔽層を挟んで第１センサ基板と第２センサ基板とを対向配置して入力パネルとすることで、１枚の電界遮蔽層を両センサ基板で共用するので、２つのセンサ基板を背中合わせに設けた場合に比して、薄型とすることができる。
加えて、２つのセンサ基板は互いに電気的に接続されているので、入力情報を処理するドライバをも共用することができ、その点においても薄型、軽量化が可能となる。
さらに表示パネル毎に照明装置を設けることなく、単一の照明装置を両表示パネルで共用するので、これによっても構成を薄型とすることができる。
よって、２画面表示ができ、かつその両面において独立な座標入力が可能な薄型、軽量の表示装置を提供できる。
【０００７】
本発明の表示装置にあっては、前記照明装置が前記第１センサ基板と第２センサ基板との間に配設されていることを特徴とする。
このような構成とすると、電界遮蔽層を除いて考えれば、照明装置を中心としてセンサ基板と表示パネルとを順次配設した対称的な構成となり、表示パネルと照明装置との間に配設される層数がほぼ等しくなる。本発明の表示装置においては、照明装置は単一であり、その表裏両面からの出射光を照明光と利用するので、各表示パネルと照明装置との間に介在する部材の積層数を等しくすることによって、両方の表示面において同等の照明光を利用することができる。
【０００８】
本発明の表示装置にあっては、前記電界遮蔽層が前記照明装置の表面に形成された透明導電膜からなることを特徴とする。
電界遮蔽層を透明なものとすれば、照明装置から出射される照明光を透過することができ、電界遮蔽層側に配設された表示パネルにおいても、効率よく照明光を利用することができる。
【０００９】
本発明の表示装置にあっては、前記電界遮蔽層が前記照明装置の表面に形成されたストライプ状の金属配線からなることを特徴とする。
電界遮蔽層が光透過性を有するものでなくとも、ストライプ状の金属配線とすることにより、各金属配線間には空隙が生じることとなり、この空隙を通して照明光を得ることができる。よって、電界遮蔽層側に配設された表示パネルにおいても、効率よく照明光を利用することができる。
【００１０】
本発明の表示装置にあっては、前記電界遮蔽層が金属メッシュからなることを特徴とする。
電界遮蔽層が光透過性を有するものでなくとも、金属メッシュとすれば、その各網目を通して照明光を得ることができる。よって、電界遮蔽層側に配設された表示パネルにおいても、効率よく照明光を利用することができる。
【００１１】
本発明の表示装置にあっては、前記第１センサ基板と前記第２センサ基板とが、透明あるいはハーフミラーであることを特徴とする。
第１センサ基板と第２センサ基板は、それぞれ第１表示パネルと第２表示パネルとの背面側に配設されて、各表示パネルと照明装置との間に介在する。よって、センサ基板を透明とすれば、照明装置からの照明光を透過して各表示パネルに効率よく照明光を照射することができる。
さらに第１センサ基板と第２センサ基板とをハーフミラーとすれば、照明装置から出射された照明光を透過するが、その反対面から入射する光は反射できる。よって、センサ基板を透過した照明光が表示パネル表面で反射されて迷光としてセンサ基板に戻ってきても、これをミラー表面で反射して照明光として再利用することができ、より高効率で照明光を照射することができる。
【００１２】
本発明の表示装置にあっては、前記第１センサ基板と第２センサ基板と前記電界遮蔽層とに、それぞれ光透過用の開口部が設けられていることを特徴とする。
第１センサ基板と第２センサ基板と前記電界遮蔽層とが、光透過性を有するものでなくとも、それぞれに光透過用の開口部を設けることにより、この開口部を通して照明光を透過させることができ、照明光を効率よく利用することができる。
【００１３】
本発明の表示装置にあっては、前記第１センサ基板と第２センサ基板とがフレキシブル配線基板で接続されていることが好ましい。フレキシブル配線基板を用いて接続を行えば、接続部を屈曲させることができるので、両センサ基板間の接続距離を狭めることができ、より一層の薄型、軽量化を図ることができる。
【００１４】
さらに本発明の表示装置にあっては、第１センサ基板と第２センサ基板とが１枚のフレキシブル基板に形成されていることが好ましい。両センサ基板を一体化することで、構成がより簡略化できるので、さらなる薄型、軽量化が可能となる。また、フレキシブル基板は、筐体内の限定されたスペースに沿って屈曲させることができるので、収納スペースをより一層、小さくすることができ、薄型、軽量化が可能となる。
【００１５】
前記表示パネルは、液晶パネルであることが好ましい。液晶パネルもまた、薄型、軽量化が可能であるので、これによっても表示装置の薄型、軽量化を図れる。
【００１６】
本発明の入力装置は、前記本発明の表示装置を備えたことを特徴とする。本発明の表示装置は、前述したように、入力パネルの両面に２つの表示パネルをそれぞれ積層配置してなるものであるので、各センサ基板に対応して、両面で互いに独立な座標入力を可能とした薄型で軽量の入力装置とすることができる。
【００１７】
さらに本発明の電子機器は、前記の表示装置または入力装置を備えてなることを特徴とする。
このような電子機器にあっては、電子機器の両面に表示面を有するので、２画面表示が可能な薄型、軽量の電子機器となる。さらに、それぞれに独立な座標入力が可能な入力装置を備えたものなので、表示面の各画面に応じて、ペン等を用いてポインティング動作による入力ができる薄型で軽量の電子機器を提供できる。
【発明を実施するための最良の形態】
【００１８】
以下、本発明の一実施の形態を図面を参照して説明する。なお、本実施形態で示す図面においては、図面を見やすくするため、各構成要素の膜厚や寸法の比率などは適宜異ならせてある。
図１は本発明の表示装置の一実施形態である液晶表示装置１００の概略構成を示す断面図である。
【００１９】
この液晶表示装置１００はタブレットを背面に備えたものであって、図１に示すように、入力パネル６と、この入力パネルの一面側に順に積層配置された照明装置３および第１液晶パネル（第１表示パネル）１と、入力パネル６の他面側に配置された第２液晶パネル（第２表示パネル）２とを、筐体７に収容してなるものである。
【００２０】
液晶パネル１、２としては、種々の方式のものを用いることができる。すなわち、液晶パネル１、２は、透過型、反射型、あるいは半透過反射型のいずれの表示方式のものであっても問題なく用いることができ、その駆動方式についても、アクティブマトリクス型、パッシブマトリクス型の種別を問わず適用できる。
【００２１】
入力パネル６は電磁誘導方式のタブレットのセンサ部となるものであって、液晶パネル１、２の背面側に配置されている。
入力パネル６は第１センサ基板４ａと第２センサ基板４ｂと電界遮蔽層５とからなる。第１センサ基板４ａと第２センサ基板４ｂとは、ともに座標検出用のセンサコイル線を基板上に配設してなるものであり、典型的には、前記基板の一面にＸ軸方向センサコイル線を形成し、他面にＹ軸方向センサコイル線を形成したものが用いられる。第１センサ基板４ａと第２センサ基板４ｂとは互いに電気的に接続されており、電界遮蔽層５を挟んで対向配置されており、検出された信号を処理する処理回路（図示略）に接続されている。
【００２２】
入力パネル６は照明装置３からの照明光を透過可能とされている。本発明の表示装置にあっては、照明装置３からの照明光を第１液晶パネル１および第２液晶パネルのバックライトとして用いるためである。図１に示した本実施形態においては、第２液晶パネルと照明装置３との間に入力パネル６が配置されるので、照明装置３からの照明光は入力パネル６を透過する必要がある。
【００２３】
電界遮蔽層５は照明光を透過でき、かつ電界を遮蔽できる導電性を有するものであれば特に限定されるものではなく、透明基板上にＩＴＯ（酸化インジウム・スズ）などの透明導電性膜を形成したもの、透明基板上に銅などの金属線をストライプ状あるいは渦巻き状などの各種形状で各配線間に空隙を設けて配線したもの、金属メッシュなどを例示できる。ここで金属メッシュとは金属線を編みあせて網目状にしたもののほか、照明光を透過する多数の孔を有する金属板や金属箔などを指す。
【００２４】
このような本発明の表示装置にあっては、第１センサ基板４ａと第２センサ基板４ｂとを対向配置して互いに電気的に接続すると共に、１枚の電界遮蔽層５を共用することによって、その構成の簡略化を行うことができるので薄型、軽量化が可能となる。また、両センサ基板は互いに電気的に接続されているので、検出された信号を処理する処理回路をも共用することができ、これによっても、表示装置を薄型、軽量化できる。
【００２５】
さらに、本実施形態にあっては、第１センサ基板４ａと第２センサ基板４ｂとは、１枚のフレキシブル配線基板４上に前記センサコイル線を形成してなるものである。フレキシブル配線基板４はその途中部分においてＵ字型に屈曲させて、その表面に配設されたセンサコイル線が液晶パネル１、２の各背面と対向するように配設されている。そしてこのＵ字型の屈曲空間部中に電界遮蔽層５が収容されている。
このようにすると、フレキシブル配線基板４上に、第１液晶パネル１に対応するセンサコイル線と、第２液晶パネル２に対応するセンサコイル線とを形成し、これらを処理回路に接続すれば良いので、２表示面からの入力を行う場合にも、各面に対応してそれぞれに処理回路とセンサ基板とを具備した入力パネルを設ける必要がなくなり、更なる表示装置の薄型、軽量化が可能となる。
【００２６】
第１センサ基板４ａと第２センサ基板４ｂもまた、上述の電界遮蔽層５と同様に、照明装置３からの照明光が透過できるものである。このためには、第１センサ基板４ａと第２センサ基板４ｂとが透明であることが好ましい。具体的には、電界遮蔽層５と同様に、透明基板上に透明導電性膜からなるセンサコイル線を配線してなるものや、透明基板上にセンサコイル線を各センサコイル線間に空隙を設けて配線したものなどである。いずれの場合においても、第１センサ基板４ａおよび第２センサ基板４ｂの一方の表面に誘電体多層膜を、他方の表面に反射防止コートを、それぞれ形成してハーフミラーとしてもよい。このようにすると、照明装置から出射された照明光を透過するが、その反対面から入射する光は反射できる。よって、センサ基板を透過した照明光が液晶パネル表面で反射されて迷光としてセンサ基板に戻ってきても、これをミラー表面で反射して照明光として再利用することができ、より高効率で照明光を利用することができる。
【００２７】
また、入力パネル６を照明光が透過できるように、第１センサ基板４ａと第２センサ基板４ｂと電界遮蔽層５とに、それぞれ光透過用の開口部を設けてもよい。このようにすれば入力パネル６が光透過性を有するものでなくとも、それぞれの部材に光透過用の開口部が設けられているので、この開口部を通して照明光を透過させることができ、照明光を効率よく利用することができる。この開口部の形状および配設個数は特に限定されるものではないが、センサコイル線の配設に妨げにならなく、かつ電界の遮蔽効果がを低下させないにならないためには、複数個の小さな開口部を均一に配設することが好ましい。このようにすれば、液晶パネルに対して均一な照明光を照射することができる。
【００２８】
また、本発明の表示装置にあっては、２枚のリジッド基板を用意し、このリジッド基板表面にセンサコイル線をそれぞれ配設して第１センサ基板４ａと第２センサ基板４ｂとし、両センサ基板をフレキシブル配線基板によって接続してもよい。この場合であっても、第１および第２センサ基板４ａ、４ｂとを可撓性を持った状態で電気的に接続することにより、その接続部を屈曲できるので、接続部の占有部を小さくして入力パネル６を薄型、軽量化できる。
【００２９】
第１液晶パネル１と第２液晶パネル２とは、筐体７の裏表をなす表面の開口部に配設されており、筐体７の両面において、２画面表示ができるようになっている。第１液晶パネル１と第２液晶パネル２は共に、本ドライバＩＣや電源ＩＣ等、および上記タブレットの処理回路などが実装されたメイン配線基板（図示せず）に接続されている。
【００３０】
照明装置３は第１液晶パネル１と入力パネル６との間に配設されており、液晶パネル１、２のバックライトとなるものである。この照明装置３はＬＥＤなどの光源（図示せず）と、この光源からの発光光を面発光として出射する導光板とからなる。導光板には、必要に応じて各種の光学部材を設けられてもよい。たとえば、より均一な面発光を得るために導光板の出射面側に設けられる拡散シートや、効率良い出射を行うために導光板の裏面側に設けられる反射シートなどである。
【００３１】
このように本実施形態にあっては、２つの液晶パネル１、２を互いに背中合わせの状態で設けた２画面表示型の表示装置であっても、入力パネル６を構成する第１センサ基板４ａと第２センサ基板４ｂとを電気的に接続して、これら両センサ基板の間に電界遮蔽層５を挟むとともに、液晶パネル１、２において照明装置３を共用することによって、その構成を簡略化して、薄型、軽量化することができる。
【００３２】
さらに本発明の表示装置は、筐体７の両面に設けられた液晶パネル１、２の表示面をペン等のポインティングデバイスによって指示することで、液晶パネル１、２の背面側の第１センサ基板４ａおよび第２センサ基板２ｂにて、それぞれ独立して座標検出ができるので、２画面の表示面からそれぞれ独立した入力動作を行うことができる。そして本発明の入力装置は、前述したように、薄型、軽量化された表示装置を用いたものであるので、自ずから薄型で軽量のものとなる。
【００３３】
なお、本実施形態では、電磁誘導方式によって座標検出を行うタブレットを用いて説明しているが、本発明の表示装置はこれに限定されるものではなく、座標検出用の入力パネルを表示パネルの背面側に配置可能なものであれば、その他の方式であってもよい。
【００３４】
図２は本発明の表示装置の他の実施形態を示したものである。図２に示した表示装置１０１が図１に示した液晶表示装置１００と異なるところは、照明装置３を電界遮蔽層５と一体化し、これらを第１センサ基板４ａと第２センサ基板４ｂとの間に配置したところである。すなわち入力パネル６内に照明装置３を配設したところである。
【００３５】
本実施形態の液晶表示装置１０１は、照明装置３を中心としてセンサ基板４ａ、４ｂと液晶パネル１、２とを、それぞれ順次配設したほぼ対称的な構成となる。そして各センサ基板４ａ、４ｂと照明装置３との間に積層配置される部材の差は電界遮蔽層５の一層のみになり、積層部材数がほぼ等しくなる。この実施態様においては、単一の照明装置３の表裏両面からの出射光を照明光と利用するので、各センサ基板４ａ、４ｂと照明装置３との間に介在する積層部材数を等しくすることによって、両方の表示面において同等の照明光を利用することができるので、好適である。
【００３６】
本実施形態においては、電界遮蔽層５を第２センサ基板４ｂ側に配設したが、本発明の表示装置１０１はこれに限定されるものではなく、照明装置３のいずれの面側に電界遮蔽層５が配設されていてもよい。しかしながら、第１液晶パネル１と第２液晶パネル２の表示画面の面積が異なる場合には、照明装置３の照明光の利用効率を鑑みて、面積が小さい方の液晶パネル側に電界遮蔽層５を配設することが好ましい。
さらに、本実施形態の表示装置１０１も、図１に示した第１の実施形態と全く同様にして入力装置として使用することができる。
【００３７】
次に、図３、図４を参照して、本発明の電子機器について説明する。本発明の電子機器の一実施例である携帯電話機１０００は、図３に示す折り畳み状態と、図４に示す使用状態とを備えた折り畳み式の携帯電話機であって、本体部１００１と、表示体部１００２とを有している。
【００３８】
表示体部１００２の内部には、上記液晶表示装置１００が配置され、表示体部１００２にて表側表示面１００３と、裏側表示面１００４にて表示画面を視認できるように構成されている。そして、表側表示面１００３と裏側表示面１００４にて、ペン等で指示することによりポインティング入力が可能となる。このような携帯電話機１０００は、２画面表示型であり、かつその２画面にて独立した入力が可能であるにも関わらず、薄型、軽量のものとなる。
【００３９】
以上、本発明の表示装置、入力装置、および電子機器に係る携帯電話機の実施形態をそれぞれ示したが、本発明はこれに限定されるものではなく、本発明の要旨を逸脱しない範囲内において種々の変更を加えることが可能である。例えば、本実施形態では、表示パネルが液晶パネルである場合について説明したが、背面から供給される照明光を透過して表示を行う表示パネルであれば問題なく適用することができる。
【図面の簡単な説明】
【００４０】
【図１】本発明の一実施形態の液晶表示装置の概略構成を示す断面図。
【図２】本発明の他の実施形態の液晶表示装置の概略構成を示す断面図。
【図３】本発明の一実施形態の電子機器の折り畳み状態を示す斜視図。
【図４】図３の電子機器の使用状態を示す斜視図。
【符号の説明】
【００４１】
１…第１液晶パネル（第１表示パネル）、２…第２液晶パネル（第２表示パネル）、３…照明装置、４ａ…第１センサ基板、４ｂ…第２センサ基板、５…電界遮蔽層、６…入力パネル、１００…液晶表示装置、１０１…液晶表示装置。
【図１】
2006338497.tif 000003
【図２】
2006338497.tif 000004
【図３】
2006338497.tif 000005
【図４】
2006338497.tif 000006